(57)【特許請求の範囲】
【請求項１】
ハウジングと、このハウジングに着脱自在に取り付けたシェービングヘッドフレームと、このシェービングヘッドフレームの内側に配置した下部カッタとを具え、この下部カッタは湾曲の軸線に対して湾曲する切断区域を有すると共に前記湾曲の軸線に対し少なくとも平行に往復駆動されるよう構成され、更に前記湾曲の軸線に対し平行な枢着軸線の周りに回動できるよう前記シェービングヘッドフレーム内に取り付けた箔カッタフレームと、前記下部カッタの前記切断区域に掛合するよう前記箔カッタフレームに取り付けられた箔状の上部カッタとを具え、この上部カッタは毛貫入孔を有するがこれ等毛貫入孔の形状が相違する少なくとも２個の孔領域を有し、更に前記箔カッタフレームを作動させるため移動可能な作動装置を介してこの箔カッタフレームに結合された手動制御部材を設け、この手動制御部材を操作することによって前記作動装置を介して前記箔カッタフレームをその枢着軸線の周りに回動させて前記箔状の上部カッタの前記孔領域の１個を前記手動制御部材の操作の度に前記下部カッタの前記切断区域に作動可能に掛合させるように構成したシェービング装置において、前記箔状の上部カッタを作動させるよう前記シェービング装置の前記ハウジングに前記手動制御部材を移動可能に取り付け、前記上部カッタから離れた位置で前記箔カッタフレームの下側に掛合する作動フレームを前記作動装置に設け、前記箔カッタフレームの前記枢着軸線に対し平行な枢着軸線の周りに回動できるよう前記作動フレームを前記シェービング装置に取り付けたことを特徴とするシェービング装置。
【請求項２】
前記箔カッタフレームの前記枢着軸線に合致する枢着軸線の周りに回動できるよう前記作動フレームを取り付けたことを特徴とする請求項１に記載のシェービング装置。
【請求項３】
前記箔カッタフレームと前記作動フレームとの平面図で見て前記作動フレームがほぼ前記箔カッタフレーム内にあるよう前記作動フレームを配置し、前記作動フレームの前記枢着軸線の横方向に互いに反対方向に向く対をなして前記作動フレームから突出する４個の突起を前記作動フレームに設け、この作動フレームのこれ等突起を前記箔カッタフレームの２個の前記フレーム部材の下側に掛合させ、これ等フレーム部材を前記箔カッタフレームの前記枢着軸線に対し平行に延在させたことを特徴とする請求項１、又は２に記載のシェービング装置。
【請求項４】
前記作動装置の作動レバーに枢着した摺動ボタンによって前記制御部材を形成し、前記作動レバーも前記作動装置の前記作動フレームに枢着したことを特徴とする請求項１〜３のいずれか１項に記載のシェービング装置。
【発明の詳細な説明】
【０００１】
【産業上の利用分野】
本発明は、ハウジングと、このハウジングに着脱自在に取り付けたシェービングヘッドフレームと、このシェービングヘッドフレームの内側に配置した下部カッタとを具え、この下部カッタは湾曲の軸線に対して湾曲する切断区域を有すると共に湾曲の軸線に対し少なくとも平行に往復駆動されるよう構成され、更に湾曲の軸線に対し平行な枢着軸線の周りに回動できるようシェービングヘッドフレーム内に取り付けた箔カッタフレームと、下部カッタの切断区域に掛合するようこの箔カッタフレームに取り付けられた箔状の上部カッタとを具え、この上部カッタは毛貫入孔を有するがこれ等毛貫入孔の形状が相違する少なくとも２個の孔領域を有し、更に箔カッタフレームを作動させるため移動可能な作動装置を介してこの箔カッタフレームに結合された手動制御部材を設け、この手動制御部材を操作することによって作動装置を介して箔カッタフレームをその枢着軸線の周りに回動させて箔状の上部カッタの孔領域の１個を手動制御部材の操作の度に下部カッタの切断区域に作動可能に掛合させるように構成したシェービング装置に関するものである。
【０００２】
【従来の技術】
上述の形式のシェービング装置は例えばＤＥ２０３３１９８Ａ号から既知である。この既知のシェービング装置においては、シェービングヘッドフレームに回転自在に取り付けた小さな回転ノブによって制御部材を形成し、箔カッタフレームから突出する方形ピンによって作動装置を形成し、この方形ピンを回転ノブの凹所に掛合させている。このような構造は比較的簡単であるが、若干の欠点もある。それはシェービングヘッドフレームに取り付けた制御部材を操作すると、ハウジングにシェービングヘッドフレームを取り付けている手段によって湾曲の軸線の方向に好ましくない負荷が作用するからである。このような負荷が作用するのは作動装置が箔カッタフレームの一側に作用するからで、この結果、箔カッタフレームに不均一に力が分散する。このようになるのは、制御部材が比較的小さく、不便な設計から成るためである。更に、片手で保持しているシェービング装置の制御部材を操作するには、他方の手にシェービング装置を持ち替えるか、他方の手で制御部材を操作することが必要なため、制御部材を操作している間、シェービング装置を保持するのが比較的不便なためであり、また制御部材によって付加的な作動機能を制御することが比較的困難なためである。
【０００３】
【発明が解決しようとする課題】
ＤＥ２０３３１９８Ａ号から既知のシェービング装置の欠点を除去するため箔カッタフレームに箔状の上部カッタを取り付け、作動装置により箔カッタフレームを確実に回動させると共に、作動装置により箔カッタフレームに作用する作動力を確実に均一に分散させた上述の形式のシェービング装置を得るにある。
【０００４】
【課題を解決するための手段】
本発明によれば、上記目的を達成することができ、本発明シェービング装置は、箔状の上部カッタを作動させるようシェービング装置のハウジングに手動制御部材を移動可能に取り付け、上部カッタから離れた位置で箔カッタフレームの下側に掛合する作動フレームを作動装置に設け、箔カッタフレームの枢着軸線に対し平行な枢着軸線の周りに回動できるよう作動フレームをシェービング装置に取り付けたことを特徴とする。
【０００５】
このように構成することによって、制御部材を作動させる際、シェービング装置を簡単、容易に取り扱うことができる。これは、片手で保持するシェービング装置の制御部材を操作するため、シェービング装置を持ち替えたり、他方の手で制御部材を操作する必要がないことと、制御部材は比較的大きく、便利な設計であるためである。更に、この制御部材によってモータのオン、オフのような付加的作動機能を簡単、容易に制御することができること、また更に、シェービングヘッドフレームをシェービング装置のハウジングに嵌着した時、作動フレームが箔カッタフレームの下に掛合するから、作動装置を箔カッタフレームに非常に簡単に確実に結合することができるためである。更に、作動フレームによる箔カッタフレームの信頼性ある回動を達成でき、この作動フレームによって、箔カッタフレームに作用する作用力を有利に均一に分散させることができるためである。また、シェービングヘッドフレームを除去する時、箔カッタフレーム、及びこの箔カッタフレームのための作動フレームを非常に簡単に離脱させることができる。これは取り外す必要があるこれ等２個のフレーム間にいかなるロックも生ずることなく、箔カッタフレームの下側に掛合している作動フレームから離して箔カッタフレームを簡単に動かすことができるためである。シェービングヘッドフレームを除去した時、作動フレームのその時の位置を留保し、従ってシェービングヘッドフレームを戻した時、シェービングヘッドフレームを除去する前に選択した位置に作動フレームによって箔カッタフレームを自動的に復帰させることができる。
【０００６】
箔状の上部カッタを作動させるための制御部材をシェービング装置のハウジングに配置すること、及びこの制御部材をこのハウジングに調整自在に取り付けることは、例えばＪＰ−Ｕ３−９６５号から既知である。ハウジングと、このハウジングに着脱自在に取り付けたシェービングヘッドフレームと、調整自在の箔状の上部カッタと、この上部カッタを調整するためハウジングに調整自在に取り付けた制御部材とを具え、本質的にフォーク状の作動スライドによって形成した作動装置を介してこの制御部材を箔状の上部カッタに結合したシェービング装置がこのＪＰ−Ｕ３−９６５号に開示されている。しかし、このシェービング装置は箔カッタフレームを有せず、調整方向の横方向に延びる箔状の上部カッタの２個の端部のそれぞれを案内ストリップに単に連結しており、それぞれ１個のピン孔継手を介してフォーク状の作動スライドの２個の端部の１個に上記案内ストリップの１個をその都度連結している。このような構成に比較し、本発明シェービング装置においては、２個の案内ストリップによる取付けではなく、回動自在の箔カッタフレームによって、箔状の上部カッタのための著しく安定した一層信頼性のある取付けを行うことができる。更に、ＪＰ−Ｕ３−９６５号のシェービング装置においては、シェービングヘッドフレームの取付け、取外しのために必要であるところのフォーク状の作動スライドの関連する案内ストリップへの連結、及び案内ストリップからの除去には別個の不便な操作が必要であり、これでは簡単な取扱いの見地から不利である。
【０００７】
本発明シェービング装置においては、箔カッタフレームの枢着軸線からずれた枢着軸線の周りに作動フレームを回動させることができる。しかし、これにより作動フレームと箔カッタフレームとの間に相対移動が生ずる。従って、箔カッタフレームの枢着軸線に合致する枢着軸線の周りに回動できるよう作動フレームを取り付ければ特に有利であることが証明されている。このことは、作動フレームによる箔カッタフレームの低摩擦作動に関して非常に有利である。
【０００８】
また、箔カッタフレームと作動フレームとを組み合わせた状態を平面図で見た場合、作動フレームは箔カッタフレームの内側に納まる構成にする。作動フレームにおける１対の横壁のそれぞれから側方に、即ち、作動フレームの枢着軸線に対して直交する横方向外方に突出する１対の突起を設け、従って、合計４個の突起を設ける。作動フレームの片側２個の突起上に、枢着軸線に平行に延在させるのが好ましい箔カッタフレームのフレーム部材の下面を掛合させる。このとき、突起は箔カッタフレームのフレーム部材よりも外側にはみ出ない。このことは、構造をできるだけ簡単かつコンパクトにする上で有利である。この構成により、突起を介して箔カッタフレームを支持する作動フレームが回動することによって、箔カッタフレームも回動することができる。
また、作動装置の作動レバーに枢着した摺動ボタンによって制御部材を形成し、作動レバーも作動装置の作動フレームに枢着すれば特に有利であることが証明されている。このことは、構造をできるだけ簡単にするために有利である。
【０００９】
【実施例】
図１はこの場合いわゆる婦人用シェーバであるシェービング装置１を示す。このシェービング装置１の下端２を充電ユニット４に差し込み、シェービング装置１内に収容した充電式電池に充電を行う。
このシェービング装置１は緩やかに湾曲した形状のハウジング５を有する。シェービングヘッドフレーム６をロック装置（図示せず）によってハウジング５に着脱自在に取り付ける。このロック装置を釈放するため、図１に１個のみを示した２個の押ボタン７をシェービングヘッドフレーム６の両側に設ける。ショートヘアカット装置８と２個のロングヘアカット装置９、１０とをシェービングヘッドフレーム６に取り付ける。ショートヘアカット装置８は、図５に示すように以後、剪断箔板１１と略称する箔状の上部カッタ１１と、複数個のカッタ薄板、又はカッタブレード１３から成る薄板カッタとして構成した駆動下部カッタ１２とを具える。ロングヘアカット装置９、１０は既知のように歯付きカット装置として構成されている。ロングヘアカット装置９、１０のうちの一方のロングヘアカット装置９をシェービングヘッドフレーム６に対し固着し、他方のロングヘアカット装置１０をシェービングヘッドフレーム６に対し移動できるように取り付ける。即ち、ロングヘアカット装置１０は図１に示す休止位置と作動位置（図示せず）との間に移動することができ、この作動位置では、ロングヘアカット装置１０はシェービングヘッドフレーム６の外に摺動して出る。
【００１０】
上述したように、ショートヘアカット装置８は、シェービングヘッドフレーム６内に配置した下部カッタ１２を具え、この下部カッタ１２は湾曲の軸線（図示せず）に対し湾曲した切断区域１４を有する。この切断区域は、下部カッタ１２の薄板１３の切断面、又は切断端縁によって画成される。上記湾曲の軸線は２個の横壁１５、１６に対し垂直に延び、シェービングヘッドフレーム６の２個の縦壁１７、１８に対し平行に延びる。下部カッタ１２はこの湾曲の軸線に平行に往復駆動される。その目的のため、シェービング装置１は駆動部材２０を具え、シェービング装置１の駆動モータにより図５に二重ヘッドの矢印１９によって示すように湾曲の軸線に平行に駆動部材２０を往復駆動し得るようにする。
【００１１】
上述したように、ショートヘアカット装置８は剪断箔板１１を具える。この剪断箔板１１を箔カッタフレーム２１に取り付ける。箔カッタフレーム２１はシェービングヘッドフレーム６の横壁１５、１６に平行に延びる２個の横壁２２、２３を有する。シェービングヘッドフレーム６の縦壁１７、１８に平行に延び、湾曲の軸線に平行に延びる２個のフレーム部材２４、２５によって横壁２２、２３を相互に連結する。超音波によって溶着されたスタッドによって剪断箔板１１をフレーム部材２４、２５に取り付ける。湾曲の軸線に対し平行な枢着軸線２６の周りに回動できるよう箔カッタフレーム２１をシェービングヘッドフレーム６内に取り付ける。この目的のため、箔カッタフレーム２１は、２個の横壁２２、２３から外方に突出する２個の円筒トラニオン２７、２８を有する。シェービングヘッドフレーム６の横壁１５、１６の孔２９、３０内に円筒トラニオン２７、２８を回転自在に掛合させる。
【００１２】
既知のように、剪断箔板１１は毛貫入孔を有する。このシェービング装置１において、剪断箔板１１は毛貫入孔の形状が相違する２個の孔領域３１、３２を有する。孔領域３１は足の毛を剃るための一層大きな毛貫入孔３３を有し、孔領域３２は腋の下の毛を剃るための一層小さな毛貫入孔３４を有する。
【００１３】
箔カッタフレーム２１を作動させるため、摺動ボタンによって形成した手動制御部材３５をこのシェービング装置１に設ける。移動可能な作動装置３６を通じて摺動ボタン３５を箔カッタフレーム２１に連結する。摺動ボタン３５を操作することによって、作動装置３６を介して枢着軸線２６の周りに箔カッタフレーム２１を回動させることができ、この回動により剪断箔板１１の２個の孔領域３１、３２のうちの一方の孔領域を下部カッタ１２の切断区域１４に作動するよう掛合させる。
【００１４】
このシェービング装置１において、シェービング装置１のハウジング５上に、更に詳しく述べればシェービングヘッドフレーム６の縦壁１７に隣接して、シェービング装置１のハウジング５の壁３７上に、剪断箔１１を動かすための摺動ボタン３５を移動可能に取り付ける。図１、図２、図３、及び図５に示すオフ位置と、図６、及び図７に示す第１オン位置と、図８、及び図９に示す第２オン位置とに摺動ボタン３５は移動することができる。
【００１５】
摺動ボタン３５がそのオフ位置にある時は、２個の孔領域３１、３２間の遷移区域が下部カッタ１２の湾曲した切断区域１４の頂点に位置しており、剪断箔板１１は休止位置にある。この休止位置に剪断箔板１１があるような位置に、作動装置３６を介して箔カッタフレーム２１を保持する。摺動ボタン３５がそのオフ位置にある時は、図示しない方法でこの摺動ボタン３５によって同時にシェービング装置１の駆動モータをオフにする。
【００１６】
摺動ボタン３５がその第１オン位置にある時は、作動装置３６を介して、図７に示す作動位置に箔カッタフレーム２１を回動して保持している。図６に示すように、小さい毛貫入孔３４を有する孔領域３２は下部カッタ１２の切断区域１４に協働する。摺動ボタン３５がその第１オン位置にある時、摺動ボタン３５はシェービング装置１の駆動モータをオンにしている。
【００１７】
摺動ボタン３５がその第２オン位置にある時は、作動装置３６を介して図９に示す作動位置に箔カッタフレーム２１を回動して保持している。図８に示すように、大きな毛貫入孔３３を有する孔領域３１は下部カッタ１２の切断区域１４に協働する。摺動ボタン３５がその第２オン位置にある時、摺動ボタン３５はシェービング装置１の駆動モータをオンにしている。摺動ボタン３５が２個のオン位置にあると、シェービング装置１の駆動モータは異なる速度で下部カッタ１２を往復駆動する。即ち第１オン位置と第２オン位置とによって下部カッタ１２の速度が異なる。
【００１８】
このシェービング装置１内で箔カッタフレーム２１を動かすため、作動装置３６に作動フレーム３８を設けるのが有利であり、以後詳細に説明するように、剪断箔板１１から離れた位置で、作動フレーム３８を箔カッタフレーム２１の下側に掛合させる。箔カッタフレーム２１と同様に、作動フレーム３８に２個の横壁３９、４０を設け、シェービングヘッドフレーム６の横壁１５、１６と箔カッタフレーム２１の横壁２２、２３とに対し平行に横壁３９、４０を延在する。横壁３９、４０を２個のフレーム部材４１、４２によって相互に連結する。シェービングヘッドフレーム６の縦壁１７、１８と箔カッタフレーム２１のフレーム部材２４、２５とに対し平行にフレーム部材４１、４２を延在する。箔カッタフレーム２１の枢着軸線２６に対し平行な枢着軸線４３の周りに回動し得るよう作動フレーム３８をシェービング装置１内に取り付ける。このシェービング装置１においては、箔カッタフレーム２１の枢着軸線２６に合致する枢着軸線４３の周りに作動フレーム３８を回動可能にし、その結果、２個のフレーム２１、３８が回動する時、これ等２個のフレーム２１、３８間にいかなる相対移動をも生じないように構成することができる。作動フレーム３８を枢着するために、取付け板６１から垂直に突出する２個の軸受ブロック４４、４５をこのシェービング装置１に設ける。軸受ブロック４４、４５の端部から２個の円筒トラニオン４６、４７を相互に対向するように突出し、作動フレーム３８の横壁３９、４０の孔４８、４９内にこの円筒トラニオン４６、４７を掛合させる。
【００１９】
箔カッタフレーム２１と作動フレーム３８とを組み合わせた状態を平面図で見た場合、作動フレーム３８は箔カッタフレーム２１の内側に納まる構成にする。作動フレーム３８の一方の横壁３９から側方に、即ち、作動フレームの枢着軸線４３に対して直交する横方向外方に突出する１対の突起５０，５２を設け（図４参照）、作動フレーム３８の他方の横壁４０から側方に突出する同様の１対の突起５１，５３を設ける。従って、作動フレーム３８は合計４個の突起５０，５１，５２，５３を有する。（ただし、図３は一方の横壁３９のみを示す図面であるため、他方の横壁４０の突起５１，５３は括弧付きで示し、図４の斜視図では突起５３は見えておらず、図５は一方の側面側から見ているために反対側の側面側の突起５２，５３は示されない）。これら突起５０，５１及び５２，５３上に、それぞれ、箔カッタフレーム２１のフレーム部材２４，２５の下面を掛合させる。これらフレーム部材２４，２５は、箔カッタフレーム２１の枢着軸線２６に対し平行に延在させると好適である。このとき、突起５０，５１，５２，５３はフレーム部材２４，２５よりも側方にはみ出さないようにする。この構成により、突起５０，５１，５２，５３を介して箔カッタフレーム２１を支持する作動フレーム３８が回動することによって、箔カッタフレーム２１も回動することができる。
【００２０】
箔カッタフレーム２１を動かすための摺動ボタン３５は、ヒンジ５５を介して作動装置３６の作動レバー５４に枢着される。また、作動レバー５４を作動装置３６の作動フレーム３８に枢着する。この目的のため、作動フレーム３８に隣接する作動レバー５４の端部をフォーク状にし、この作動レバー５４の２個の端部５６、５７のおのおのの位置に孔を設け、作動フレーム３８のそれぞれの横壁３９、４０から突出して枢着軸を形成している継手ピン５８、５９をこれ等の孔に掛合させる。摺動ボタン３５をスライダ６０に連結し、このスライダ６０をハウジング５内に摺動案内し、一体のヒンジとして構成したヒンジ５５を介してスライダ６０を作動レバー５４に一体に連結する。
【００２１】
このシェービング装置のハウジング上に剪断箔板を動かすための制御部材、即ち摺動ボタンを使用することによって、この摺動ボタンを操作する時、シェービング装置の簡単で便利な操作を確実なものにすることができ、しかも摺動ボタンを比較的大きくすることができ、操作を容易にすることができ、更にシェービング装置のモータの起動、停止のような付加的操作機能を簡単、容易に制御することができる。更に、作動フレームとして箔カッタフレームのための作動装置の構造によって、シェービング装置のハウジングにシェービングヘッドフレームを設置した時、箔カッタフレームを作動フレームの下側に掛合させて作動装置を非常に簡単に確実に箔カッタフレームに結合することができ、更に、作動フレームと共に箔カッタフレームを特に満足すべき状態で確実に回動させることができ、箔カッタフレームに作用する作動力を作動フレームによって均一に確実に有利に分散させることができる。更に、このシェービング装置においては、シェービングヘッドフレームを除去する時、箔カッタフレームと、この箔カッタフレームのための作動フレームとを非常に簡単に離脱させることができる。これは互いに取り外すべき箔カッタフレームと作動フレームとの間にロックを生ずることなく、箔カッタフレームの下側に掛合している作動フレームから離して箔カッタフレームを簡単に動かすことができるからである。このシェービング装置においては、シェービングヘッドフレームを除去した時、作動フレームのその時の位置を留保する。従ってシェービング装置のハウジングにシェービングヘッドフレームを戻した時、シェービングヘッドフレームを除去する前に選択した位置に作動フレームによって箔カッタフレームを自動的に復帰させることができる。
【００２２】
本発明は上述の例示の実施例に限定されない。例えば、毛貫入孔が異なる３個の孔領域を剪断箔板に設けることができ、この場合、このような剪断箔板を担持する箔カッタフレームを３個の異なる作動位置に作動フレームによってセットする。更に、作動フレームを上述のものと異なる構造にすることができる。更に、箔カッタフレームのための制御部材と作動フレームとの間の結合の構造を他の構造にすることもできる。
【図面の簡単な説明】
【図１】充電ユニットにセットした本発明シェービング装置の斜視図である。
【図２】摺動ボタンがオフ位置にある図１のシェービング装置のシェービングヘッドの斜視図である。
【図３】オフ位置にある図１のシェービング装置のシェービングヘッドの部分の断面図である。
【図４】オフ位置にある図１のシェービング装置のシェービングヘッドの内部を示す斜視図である。
【図５】オフ位置にある図１のシェービング装置のシェービングヘッドの部分を示す断面図である。
【図６】第１オン位置にある図１のシェービング装置のシェービングヘッドの斜視図である。
【図７】第１オン位置にある図１のシェービング装置のシェービングヘッドの部分の断面図である。
【図８】第２オン位置にある図１のシェービング装置のシェービングヘッドの斜視図である。
【図９】第２オン位置にある図１のシェービング装置のシェービングヘッドの部分の断面図である。
【符号の説明】
１  シェービング装置
４  充電ユニット
５  ハウジング
６  シェービングヘッドフレーム
７  押ボタン
８  ショートヘアカット装置
９、１０  ロングヘアカット装置
１１  上部カッタ、剪断箔板
１２  駆動下部カッタ
１３  カッタブレード、カッタ薄板
１４  切断区域
２０  駆動部材
２１  箔カッタフレーム
２６  枢着軸線
２７、２８  円筒トラニオン
２９、３０  孔
３１、３２  孔領域
３３、３４  毛貫入孔
３５  手動制御部材、摺動ボタン
３６  作動装置
３８  作動フレーム
４３  枢着軸線
５０、５１、５２、５３  突起
５４  作動レバー
６０  スライダ
【図１】
0003562844.tif 000002
【図２】
0003562844.tif 000003
【図３】
0003562844.tif 000004
【図４】
0003562844.tif 000005
【図５】
0003562844.tif 000006
【図６】
0003562844.tif 000007
【図７】
0003562844.tif 000008
【図８】
0003562844.tif 000009
【図９】
0003562844.tif 000010